(57)【要約】【課題】紫外線の照射範囲を死角無く設定して、確実に黴の発生、繁殖を防止できるとともに、構造が簡単で低コストであり、さらには、簡単に持ち運びして所要の場所で利用することができる可搬式防黴装置を提供する。【解決手段】紫外線照射管１２と、紫外線照射管１２の照射範囲を自在に可変設定させる可変設定部１４と、照射区画に搬入搬出自在に設置され、紫外線照射管１２を支持しつつ該照射区画の設置面上に載置される安定支持部２２と、紫外線照射管１２に接続され配線延長されて照射区画の外部から照射の入り切りを操作させる遠隔操作部１６と、を含むことを特徴とする可搬式防黴装置１０から構成される。簡易に搬送して室内に設置できるとともに、可変設定部１４を介して、紫外線の照射範囲を自在に可変することにより死角なく確実な防黴を行える。【選択図】  図１
2005168858.tif 000002
【特許請求の範囲】
【請求項１】
紫外線照射管と、
紫外線照射管の照射範囲を自在に可変設定させる可変設定部と、
照射区画に搬入搬出自在に設置され、紫外線照射管を支持しつつ該照射区画の設置面上に載置される安定支持部と、
紫外線照射管に接続され配線延長されて照射区画の外部から照射の入り切りを操作させる遠隔操作部と、を含むことを特徴とする可搬式防黴装置。
【請求項２】
紫外線照射管は、機枠を中央にしてその周囲に複数個配置されて支持され、
可変設定部は、該機枠との連結状態を可変としつつ該機枠を支持する可動連結部を有し、
さらに、可動連結部は、安定支持部により支持されていることを特徴とする請求項１記載の可搬式防黴装置。
【請求項３】
紫外線照射管は、機枠を中央にしてその両側に対向配置され、かつ、一方向に長い直管本体を有することを特徴とする請求項２記載の可搬式防黴装置。
【請求項４】
一方向に長い直管本体の長手一端側を変位自由端とし、その他端側において機枠と可動連結部が連結された請求項３記載の可搬式防黴装置。
【請求項５】
設置面からの紫外線照射管の高さ位置を調整させる高さ調整手段が設けられた請求項１ないし４のいずれか記載の可搬式防黴装置。
【請求項６】
紫外線照射管の外面側を保護する保護用金網が設けられた請求項１ないし５のいずれかに記載の可搬式防黴装置。
【請求項７】
人を感知すると照射を停止させる人感知センサが設けられた請求項１ないし６のいずれかに記載の可搬式防黴装置。
【請求項８】
設定時間経過後に照射を停止させるタイマを有する請求項１ないし７のいずれかに記載の可搬式防黴装置。
【発明の詳細な説明】
【技術分野】
【０００１】
本発明は、例えば、浴室、トイレ、台所等その他の任意の場所に簡易に持ち運びして黴の発生、繁殖を防止できる可搬式防黴装置に関する。
【背景技術】
【０００２】
浴室、トイレ等の水回りでは、壁面、床面、天井や浴槽あるいは便器等に黴が発生、繁殖しやすく、衛生上好ましくない。壁面等に発生した黴を除去するために防カビ剤等の薬品が使用される場合もあるが、防カビ剤等の薬品は人体や環境に有害なものも多い。そこで、有害な残留物を生じさせない紫外線灯等を利用したものが提案されており、例えば、特開平２−９６１４３号公報や特開平１０−３１４２８０号公報等に開示されている。
【特許文献１】特開平２−９６１４３号公報
【特許文献２】特開平１０−３１４２８０号公報
【発明の開示】
【発明が解決しようとする課題】
【０００３】
特開平２−９６１４３号の浴室用防かび装置では、紫外線を放射する殺菌灯を浴室の壁に配置して、紫外線の殺菌作用を利用して、黴の発生、増殖を防止を図るものである。しかしながら、特開平２−９６１４３号の防かび装置では、殺菌ランプは浴室の壁に固定されているので、照射範囲が一定であるから、紫外線が照射されない死角部分が生じ、その場所にかびが発生、繁殖してしまう問題があった。さらに、浴室の壁に固定されるものであるから、電気配線などのために壁の一部を切欠したりすることが必要で施工が大掛かりであるとともに、備えつけた浴室のみでしか黴の発生、繁殖の防止を図ることができず、実用性が低いものであった。
【０００４】
一方、特開平１０−３１４２８０号の衛生設備室では、壁面や浴槽等の表面に光触媒層を有する親水性部材を配置させ、これらの壁面等に紫外線を照射して、光触媒等による防カビを図る構造が示されている。この特開平１０−３１４２８０号の衛生設備室では、紫外線ランプの照射範囲の死角を無くすために、紫外線ランプを壁に設けたレールに沿って移動させたり、別途に紫外線を反射させるリフレクターや壁や天井の他の場所にも紫外線ランプを設置して、防カビ効果の向上させるものであった。しかしながら、上記のような紫外線ランプの照射範囲の死角をなくすための構造は複雑で、既設の部屋を施工する際にも略部屋全体を工事する必要があるので、施工も大掛かりになり、設置、施工コストが高くつくものであった。さらに、紫外線ランプを室内の壁に備えつけるものであるから、備えつけた部屋のみでしか黴の発生、繁殖の防止を図ることができない等の問題があった。
【０００５】
本発明は上記従来の課題に鑑みてなされたものであり、その目的は、紫外線の照射範囲を死角無く設定して、確実に黴の発生、繁殖を防止できるとともに、構造が簡単で低コストであり、さらには、簡単に持ち運びして所要の場所で簡易に利用することができる可搬式防黴装置を提供することにある。
【課題を解決するための手段】
【０００６】
上記課題を解決するために、本発明は、紫外線照射管１２と、紫外線照射管１２の照射範囲を自在に可変設定させる可変設定部１４と、照射区画（Ｒ）に搬入搬出自在に設置され、紫外線照射管１２を支持しつつ該照射区画（Ｒ）の設置面上に載置される安定支持部２２と、紫外線照射管１２に接続され配線延長されて照射区画の外部から照射の入り切りを操作させる遠隔操作部１６と、を含むことを特徴とする可搬式防黴装置１０から構成される。紫外線照射管１２は、１個でも２個以上の複数個でもよい。紫外線照射管の形状は、直状、環状、Ｕ字状、球状等その他任意のものでもよい。装置の使用頻度や使用時間は、紫外線照射管の強度等に応じて設定される。電気配線は、例えば、遠隔操作部を電源コードに直接介設してもよいし、電源コードとは別に配線延長して遠隔操作部を設けることとしてもよい。安定支持部２２は、例えば、三脚や、垂直状に立設される支持棒の下端側に板部材やフレーム体を取り付けた構成でも良く、持ち運びしやすくかつ簡易に所要位置に設置できる構成であればよい。
【０００７】
また、紫外線照射管１２は、機枠１８を中央にしてその周囲に複数個配置されて支持され、可変設定部１４は、該機枠１８との連結状態を可変としつつ該機枠１８を支持する可動連結部２０を有し、さらに、可動連結部は、安定支持部２２により支持されていることとしてもよい。可動連結部２０は、複数の回動軸を有する構成やその可動部分をあらゆる方向に向けて自在に設定できるユニバーサルジョイント継手や球状継手の構成等その他任意の構成でもよい。機枠の形状は、例えば、細長い四角筒形、丸筒形、多角形筒形等その他任意の形状でよく、紫外線照射管の形状、大きさ、及びその配置関係に応じて設定するとよい。紫外線発生用の回路やグローランプ、安定器は機枠に一体的に組付けると装置全体をコンパクトに構成できる。この際、安定器から発生する熱を逃がしすいように、機枠１８に通気口を設けておくとよい。
【０００８】
また、紫外線照射管１２は、機枠１８を中央にしてその両側に対向配置され、かつ、一方向に長い直管本体を有することとしてもよい。
【０００９】
また、一方向に長い直管本体の長手一端側を変位自由端とし、その他端側において機枠１８と可動連結部２０が連結されたこととしてもよい。機枠の自由端側に取っ手を取り付けておくと紫外線照射管の可変設定の操作や、装置を搬送する際に便利である。
【００１０】
また、設置面からの紫外線照射管１２の高さ位置を調整させる高さ調整手段２６が設けられたこととしてもよい。高さ調整手段２６は、例えば、可動連結部に設けたり、安定支持部側に設けてもよい。
【００１１】
また、紫外線照射管１２の外面側を保護する保護用金網４４が設けられたこととしてもよい。保護用金網の網目の大きさは、小さいと保護用金網により外部に照射される紫外線が低下するので、ある程度大きく設定するとよい。
【００１２】
また、人を感知すると照射を停止させる人感知センサ４８が設けられたこととしてもよい。センサは、赤外線センサ等の光センサでよく、感知してから照射の停止までの時間が短い方が良い。
【００１３】
また、設定時間経過後に照射を停止させるタイマ５２を有することとしてもよい。取りつけ場所は任意であり、例えば、機枠に取りつけたり、電源コード等に介設または枝分かれ状に設けてもよい。また、遠隔操作部にタイマ機能を持たせることとしてもよい。
【発明の効果】
【００１４】
本発明の可搬式防黴装置は、紫外線照射管と、紫外線照射管の照射範囲を自在に可変設定させる可変設定部と、照射区画に搬入搬出自在に設置され、紫外線照射管を支持しつつ該照射区画の設置面上に載置される安定支持部と、紫外線照射管に接続され配線延長されて照射区画の外部から照射の入り切りを操作させる遠隔操作部と、を含むことから、装置全体をコンパクトにして手軽に搬送できるとともに、設置場所が限定されることなく所要の場所に搬入し、床面上に簡易に設置できるので利便性が高い。同時に、黴の発生場所に応じて紫外線の照射範囲を自在に可変設定でき、室内を死角なく確実に黴の発生、繁殖の防止を行うことができ、室内環境を衛生に維持できる。また、装置の構造が簡単で低コストで製造できる。
【００１５】
また、紫外線照射管は、機枠を中央にしてその周囲に複数個配置されて支持され、可変設定部は、該機枠との連結状態を可変としつつ該機枠を支持する可動連結部を有し、さらに、可動連結部は、安定支持部により支持されている構成とすることにより、構造を簡単にして、装置を安定的に支持しながら照射範囲を自在に可変設定できる構成を具体的に実現できるとともに、紫外線照射管の一の可変設定状態での照射範囲を広く確保できて死角を少なくし効果的な防黴を実現できる。
【００１６】
また、紫外線照射管は、機枠を中央にしてその両側に対向配置され、かつ、一方向に長い直管本体を有することを特徴とする構成とすることにより、嵩張りが少ないコンパクトな構成を維持しつつ、照射範囲を広く設定でき効果的に防黴を行える。
【００１７】
また、一方向に長い直管本体の長手一端側を変位自由端とし、その他端側において機枠と可動連結部が連結された構成とすることにより、構造が簡単で、紫外線照射管を可変設定する際の操作性もよく、照射範囲を黴の発生場所に良好に設定して確実に防黴できる装置を具体的に実現し得る。
【００１８】
また、設置面からの紫外線照射管の高さ位置を調整させる高さ調整手段が設けられた構成とすることにより、例えば、室内の床から天井までくまなく黴の発生場所に紫外線の照射範囲を設定させることができ、より効果的に黴の発生、繁殖の防止を行うことができる。
【００１９】
また、紫外線照射管の外面側を保護する保護用金網が設けられた構成とすることにより、装置を搬送する際や装置が転倒した際等に、紫外線照射管に直接物が衝突して破損するのを防止し、装置を安全に搬送または使用できる。
【００２０】
また、人を感知すると照射を停止させる人感知センサが設けられた構成とすることにより、使用中に装置に人が近付いた際に、紫外線が人に照射されるのを防止でき、人体に悪影響を及ぼすことなく安全に使用できる。
【００２１】
また、設定時間経過後に照射を停止させるタイマを有する構成とすることにより、装置の切り忘れを防止して利便性を向上し、長時間紫外線を照射し続けることによる壁や浴槽等の退色、劣化あるいは電気の浪費、照射管等の装置の部品の早期消耗を防止できる。
【発明を実施するための最良の形態】
【００２２】
以下、添付図面を参照しつつ本発明の実施の形態について説明する。本発明の可搬式防黴装置は、紫外線の殺菌作用を利用した防黴装置であって、例えば、浴室やトイレ等の所要の照射区画に簡易に持ち運びして利用でき、紫外線の照射範囲を自在に可変設定して死角無く確実に黴の発生、繁殖を防止する可搬式防黴装置である。
【００２３】
図１ないし図６は、本発明の一実施形態を示している。図１に示すように、本実施形態において、可搬式防黴装置（以下「防黴装置」という）１０は、紫外線を照射する紫外線照射管１２と、紫外線照射管の照射範囲を自在に可変設定する可変設定部１４と、紫外線照射管１２を支持しつつ床面上に載置させる安定支持部２２と、紫外線照射管１２の照射の入り切りを操作させる遠隔操作部１６と、を含む。さらに本実施形態では、具体的には、紫外線照射管１２は機枠１８に支持され、可変設定部１４は機枠１８との連結状態を可変としながら支持する可動連結部２０を有している。
【００２４】
本実施形態において、安定支持部２２は、可動連結部２０を所要高さに支持しながら、装置全体を安定的に自立させる。安定支持部２２を設けることにより、装置全体を比較的コンパクトに構成して、浴室等の照射区画に簡易に搬入搬出し、簡単かつ短時間で配置させて、手軽に使用することができるとともに、可動連結部２０による紫外線照射管１２の照射範囲の可変設定をスムーズに行える。本実施形態では、図１に示すように、安定支持部２２は、例えば、台部２４と、台部２４に連結された３本の脚２５とを、有する三脚部材からなる。安定支持部２２は、可動連結部２０を台部２４に対して上下移動させつつ所要位置で固定状態とすることができるようになっている。各脚２５は、それぞれ伸縮自在に設けられて所要長さに設定することができるように設けられている。すなわち、安定支持部２２は、可動連結部２０を台部に対して上下可能にしかつ各脚２５を伸縮自在とすることにより、紫外線照射管１２の高さ位置を調整できる高さ調整手段２６を備えている。したがって、例えば、紫外線照射管１２の高さ位置を床面から天井まで自在に設定でき、照射範囲を所望の高さ位置に設定して効果的に防黴を行える。
【００２５】
図１に示すように、機枠１８は、紫外線照射管１２の支持枠であり、安定支持部２２に支持された可動連結部２０に連結支持されている。機枠１８は、例えば、一方向（図１上、縦方向）に長い中空の立方体形状に形成されている。機枠１８の長手方向の一端側には、取っ手２７が取付けられており、その他端側において可動連結部２０が連結されて支持されている。機枠１８の長手方向の１対の対向両外側に紫外線照射管１２を配置させ、機枠１８の両端側で外側に向けて突設したブラケット２８を介して紫外線照射管１２を支持している。なお、機枠１８を中心にしてその周囲に紫外線照射管１２を３本以上の複数個配置させてもよい。
【００２６】
本実施形態において、紫外線照射管１２は、機枠１８の長手方向と同程度に長く形成された直管本体を有しており、その管の長手方向を機枠１８の長手方向に沿って機枠両側にそれぞれ１本ずつ計２本が配置されている。紫外線照射管１２は、例えば、１０〜２０Ｗ程度の出力の殺菌ランプ等からなり、ガラス管からなる管本体内に封入してある水銀中に電圧をかけて、水蒸気中でアーク放電させて紫外線を外部に向けて照射する。紫外線照射管１２による紫外線の照射範囲は、主に機枠１８の両外側に向けた方向の範囲となる。紫外線照射管１２の直管本体内の両側に電極が配置されており、機枠のブラケット２８を介して支持されつつ該電極が機枠１８内部に引き込まれる配線と電気的に接続され、電極に電圧を発生させるグローランプ２９や安定器３０、その他の図示しない紫外線発生用回路等と電気的に接続されている。なお、本実施形態では、グローランプ２９や安定器３０等は機枠１８に内蔵されて機枠１８に一体的に組付されて、コンパクトな構成としている。
【００２７】
本実施形態において、可動連結部２０は、機枠１８の長手方向の一端側を自由端として首振り状に連結状態を可変して、紫外線照射管１２の照射範囲を可変させる。図２に示すように、本実施形態では、可動連結部２０は、機枠１８に支持される紫外線照射管１２を複数の可動軸（Ｘ、Ｙ、Ｚ）回りに回動させることで、紫外線照射管の照射範囲を自在に可変させる。図２において、紫外線照射管１２は、対向配置された紫外線照射管の中間でその長手方向に沿った第１軸Ｘ回りに回動し、第１軸Ｘに直交しつつ水平方向向きの第２軸Ｙ回りに回動し、さらに、鉛直方向の第３軸Ｚ周りに回動するように設けられている。すなわち、紫外線照射管１２は、第１軸Ｘ回りに回動して機枠１８の中心から外に向けた照射範囲を可変とし、紫外線照射管の一端側で第２軸Ｙ回りに回動して照射範囲を鉛直面内に沿って可変とするともに、第３軸Ｚ回りに回動して照射範囲を周方向に可変としている。尚、照射管が第２軸に直交する水平方向の軸回りに回動するように構成してもよい。
【００２８】
本実施形態において、可動連結部２０の具体的な構成としては、図１、図４に示すように、安定支持部２２の台部２４に鉛直方向に貫通状に支持される縦に長い縦杆３２と、縦杆３２の上端側に回動自在に連結支持される横軸部３４と、横軸部３４に対して回動自在であるとともに機枠１８を連結支持する支持ブラケット３６と、を有している。縦杆３２は、安定支持部２２の台部２４に対して上下移動自在に設けられて、可動連結部２０の高さ位置を調整し得る。縦杆３２と横軸部３４は回動自在に連結していることから、鉛直方向の第３軸Ｚとして該第３軸Ｚ回りに支持ブラケットを介して支持している機枠１８を回動させて、機枠１８の自由端側を平面視で周方向に首振り状に回動させ得る。支持ブラケット３６は、横軸部３４回りに回転して任意の角度で固定状態となるように設けられており、機枠１８が水平方向の第２軸Ｙ回りに傾動し得る。機枠１８の第２軸Ｙ回りの回動範囲は、例えば、鉛直方向から少なくとも９０度以上の角度の範囲に傾動し得るように設定されている。支持ブラケット３６は、横軸部３４に垂直方向に突設されるハンドル３９を備えており、ハンドル３９を介して支持ブラケット３６をスムーズに回動させる。支持ブラケット３６は、ボルト３８を介して機枠１８長手一端側を連結支持しており、機枠１８をボルト３８回りすなわちその長手方向に沿った第１軸Ｘ回りに回動自在として、対向両側の紫外線照射管１２の位置を回転変位させながらその照射範囲を変化させ得る。なお、機枠１８の第１軸Ｘ回りの回動範囲は、少なくとも１８０度以上の範囲内で回動するように設定されており、機枠を中心とした外部方向に向けて可変できる。上記のように可動連結部２０は、機枠１８すなわち、機枠１８に支持された紫外線照射管１２をその長手方向の一端側を自由端として、その自由端側を首振り状に前後左右上下のあらゆる方向に自在に変位させつつ回転変位させながらその照射範囲を変化させることにより、浴室等の凹凸が多い場所でも黴の発生場所に応じて紫外線の照射範囲を自在に可変設定でき、死角なく確実に防黴を行うことができる。なお、可動連結部２０は、本実施形態では、複数軸回りの回動の構成としたがこれに限らず、例えば、ユニバーサルジョイント継手や球状継手のようにあらゆる方向に可変設定できる構成等その他任意の構成でも良い。
【００２９】
紫外線照射管１２に接続される配線４０は、機枠１８内部から外部に引出されて電源コードとして、例えば、３〜５ｍ程度延長されて１００Ｖ交流電源へ接続される。この配線４０の中間位置には、遠隔操作部１６が介設されており、装置本体すなわち紫外線照射管１２から離隔した位置で該紫外線照射管１２の照射の入り切りを操作し得る。これにより、紫外線の照射源から離隔した安全な位置で操作できて、操作者が紫外線を間近で浴びて皮膚や目等に影響を及ぼすのを防止できる。
【００３０】
本実施形態において、紫外線照射管１２の外面側には、保護用金網４４が設けられている。図１、図３に示すように、保護用金網４４は、例えば、紫外線照射管１２から若干離れて、紫外線照射管１２と機枠１８全体を囲むように四周側面側を覆って、例えばビス４６等を介して機枠に固定されている。保護用金網４４は、網目から紫外線照射管１２から照射される紫外線を外部に向けて通過させつつ、紫外線照射管１２の外面側を保護する。これにより、装置が転倒した際や装置を搬送する際等に紫外線照射管１２が柱や壁等の他の物体に直接衝突して、紫外線照射管が破損するのを防止できる。保護用金網４４は、例えば、ステンレス等の変形しにくくかつ破損しにくい金属から設けるとよい。また、保護用金網によって外部に照射する紫外線の低減が少ないように網目をある程度大きくするとよい。
【００３１】
図１において、機枠１８の自由端側には、人感知センサ４８が設けられている。人感知センサ４８は、例えば、赤外線センサからなり、取っ手２７の両側に２個対向状に設置されている。いずれかのセンサが人や動物等を感知すると機枠１８に内蔵されたリレー回路部５０を介して紫外線照射管の照射を停止させる。これにより、防黴装置１０の使用中（紫外線の照射中）に不意に人が近付いても自動的に照射を停止して、安全に使用できる。センサが、感知しなくなって一定時間後に再び照射するようにリレー回路を設定しておくこととしてもよい。
【００３２】
図１に示すように、本実施形態の防黴装置１０は、タイマ５２を備えており、例えば、紫外線照射管１２から延長配線された配線４０に介設されている。必要に応じてタイマをセットしておけば、設定時間経過後に自動的に電気的にオフして紫外線照射管からの照射を停止させることができ、切り忘れを防止できる。なお、タイマを遠隔操作部１６に一体的に組み込んだ構成としてもよい。
【００３３】
次に本実施形態の防黴装置１０の作用について説明する。図６は、本実施形態に係る防黴装置１０を浴室Ｒで使用した場合を示している。防黴装置１０を浴室Ｒ内に搬送し、安定支持部２２で装置を自立させながら床面上に設置させる。図４、図５に示すように、紫外線照射管１２を、例えば、浴室の壁面、床面、或は浴槽部等の黴が発生している場所に向くように、可変設定部１４である可動連結部２０や高さ調整手段２６を介して照射範囲を可変設定する。また、照射対象と紫外線照射管との距離も可変設定できるので、紫外線照射管を目標に近付けて照射したり、あるいは逆に遠ざけて広範囲を照射したり、黴の発生状況に応じて使用できる。図６に戻って、紫外線は人体に対して悪影響を及ぼしやすいので、使用中は、人が紫外線を浴びないように、浴室の扉Ｄを閉めて略密閉状態としておく。この際、扉Ｄをわずかにあけておき、その隙間Ｈから配線４０を浴室Ｒに隣接する脱衣所Ｔ等に延長して１００Ｖ交流電源に接続する。遠隔操作部１６は、脱衣所Ｔ側に配置させておき、遠隔操作部１６を介して照射の入り切りを行って、操作者が紫外線を受ける危険性がなく安全に装置の入り切り操作を行える。装置の使用頻度や使用時間は、紫外線照射管の強度等に応じて設定され、例えば、紫外線照射管１２として１０〜２０Ｗの強さの殺菌ランプを使用して浴室Ｒの防黴を行う場合には、１回当り１時間程度の照射を１週間当り２〜３回程度行うと良い。また使用の都度、照射範囲を適宜変化させると、浴槽等を含む浴室全体を死角無く防黴することができ、室内環境を衛生に維持できる。使用する際に、必要に応じてタイマ５２をセットしておけば、設定時間経過後に自動的に照射を停止して、切り忘れを防止し、長時間紫外線を照射し続けることによる壁面の退色、劣化、電気の浪費、及び部品の早期消耗による交換等のメンテナンス頻度の短期化などを防止できる。使用後には防黴装置を浴室から運び出して、収納したり、或はトイレや台所等他の照射区画に搬送して使用することができる。
【００３４】
以上説明した本発明の可搬式防黴装置は、上記した実施の形態にのみ限定されるものではなく、特許請求の範囲に記載した発明の本質を逸脱しない範囲の変形も本発明に含まれる。
【図面の簡単な説明】
【００３５】
【図１】本発明の実施形態に係る可搬式防黴装置の一部切欠正面図である。
【図２】紫外線照射管の可変設定構造の概略模式図である。
【図３】Ａ−Ａ線断面説明図である。
【図４】図１の装置の一部省略した斜視説明図である。
【図５】図４の装置の作用説明図である。
【図６】図１の装置の使用例を示す説明図である。
【符号の説明】
【００３６】
１０  防黴装置
１２  紫外線照射管
１４  可変設定部
１６  遠隔操作部
１８  機枠
２０  可動連結部
２２  安定支持部
２６  高さ調整手段
４４  保護用金網
４８  人感知センサ
５２  タイマ
【図１】
2005168858.tif 000003
【図２】
2005168858.tif 000004
【図３】
2005168858.tif 000005
【図４】
2005168858.tif 000006
【図５】
2005168858.tif 000007
【図６】
2005168858.tif 000008